(57)【要約】【課題】楽器用キャリアを短時間で装着でき、かつ、ベルトの両端部の連結を解除した状態でも楽器用キャリアを容易に取り扱えるようにする。【解決手段】腰に巻き付けるベルト３１と、ベルトの両端部３１Ａ，３１Ｂに設けられて、ベルトの両端部を脱着可能に連結するバックル３２と、ベルトの少なくとも一方の端部３１Ａ，３１Ｂにおいてベルトに対して移動不能に設けられた腰当て部材３３と、を備え、ベルトの両端部をバックルにより連結した状態で、腰当て部材がベルトの両端部を跨ぐように配される楽器用キャリアを提供する。【選択図】図１
2018031883.tif 000002
【特許請求の範囲】
【請求項１】
腰に巻き付けるベルトと、
前記ベルトの両端部に設けられて、前記ベルトの両端部を脱着可能に連結するバックルと、
前記ベルトの少なくとも一方の端部において前記ベルトに対して移動不能に設けられた腰当て部材と、を備え、
前記ベルトの両端部を前記バックルにより連結した状態で、前記腰当て部材が前記ベルトの両端部を跨ぐように配される楽器用キャリア。
【請求項２】
前記腰当て部材が、前記ベルトの長手方向に配列された複数の分割部材を備え、
前記ベルトの各端部には、少なくとも一つの前記分割部材が前記ベルトに対して移動不能に設けられている請求項１に記載の楽器用キャリア。
【請求項３】
前記腰当て部材が、前記ベルトに対して着脱可能である請求項１に記載の楽器用キャリア。
【請求項４】
前記ベルトの長さを調整する調整手段を備える請求項１に記載の楽器用キャリア。
【請求項５】
前記ベルトの長さを調整する調整手段と、
前記ベルトのうち前記調整手段によって調整された前記ベルトの長さに寄与しない余剰部分を、前記ベルトのうち前記調整手段によって調整されたベルトの長さに寄与する寄与部分に対して着脱可能に係止する係止部材と、を備える請求項１に記載の楽器用キャリア。
【発明の詳細な説明】
【技術分野】
【０００１】
本発明は、楽器用キャリアに関する。
【背景技術】
【０００２】
従来、パレードやショー等において、マーチングドラム等の楽器を演奏者の前方で支持する楽器用キャリアが使用されている。
パレードやショー等の演奏中において、演奏者は、停止して楽器を演奏するだけでなく、移動しながら演奏することがある。このため、演奏者の身体と楽器用キャリアとの接触面積を大きくして、演奏者の身体の特定の場所に楽器及び楽器用キャリアの荷重が集中しないようにすることが望ましい。
【０００３】
特許文献１には、演奏者の肩に引っ掛ける肩掛けストラップ（肩当て部材）と、肩当て部材に連結されて、演奏者の腹部に当てる腹当て部材と、を備える打楽器保持装置（楽器用キャリア）が開示されている。
【０００４】
また、従来の楽器用キャリアには、腹当て部材が演奏者の腹部から離れないように、演奏者の腰に巻く腰ベルトを備えたものもある。従来の腰ベルトは、腹当て部材の両側から延びるように腹当て部材に取り付けられたベルトと、ベルトの両端部を脱着可能に連結するバックルと、ベルトに取り付けられた腰当て部材と、を備える。腰当て部材は、クッション材からなる。腰当て部材は、腰ベルトを演奏者の腰に巻いた状態で、演奏者の腹部と反対側に位置する背中の下側部分（以下、「背中下部」と呼ぶ。）に当てるものであり、演奏者の背中下部を保護する。
【先行技術文献】
【特許文献】
【０００５】
【特許文献１】特開２００３−５７４５号公報
【発明の概要】
【発明が解決しようとする課題】
【０００６】
しかしながら、従来の楽器用キャリアでは、腰当て部材が、腹当て部材の一方側から延びるベルトの部位（ベルトの第一延長部位）に取り付けられ、腹当て部材とバックルとの間に位置している。このため、ベルトの第一延長部位の長さが、腹当て部材の他方側から延びるベルトの部位（ベルトの第二延長部位）の長さよりも長くなってしまう。
【０００７】
ベルトの二つの延長部位の長さの差が大きい場合、演奏者が従来の楽器用キャリアを装着する際には、腹当て部材を腹部に当てた状態で、ベルトの第一延長部位を一方の手で背中下部に回し込んだ後、ベルトの第一延長部位の先端部を他方の手で持ち替えた上で、バックルによりベルトの両端部を腰の側部（体の横）において連結する必要がある。すなわち、楽器用キャリアの装着に時間がかかってしまう、という問題がある。
【０００８】
また、ベルトの二つの延長部位の長さの差が大きい場合、ベルトの両端部の連結を解除した状態で、第一延長部位だけが腹当て部材から大きく垂れ下がる。このため、ベルトの両端部の連結を解除した状態では、第一延長部位の先端部を演奏者の足で踏んでしまう可能性がある等、楽器用キャリアの取り扱いが面倒である、という問題もある。
【０００９】
本発明は、上述した事情に鑑みてなされたものであって、短時間で装着でき、かつ、ベルトの両端部の連結を解除した状態でも容易に取り扱うことが可能な楽器用キャリアを提供することを目的とする。
【課題を解決するための手段】
【００１０】
本発明は、腰に巻き付けるベルトと、前記ベルトの両端部に設けられて、前記ベルトの両端部を脱着可能に連結するバックルと、前記ベルトの少なくとも一方の端部において前記ベルトに対して移動不能に設けられた腰当て部材と、を備え、前記ベルトの両端部を前記バックルにより連結した状態で、前記腰当て部材が前記ベルトの両端部を跨ぐように配される楽器用キャリアを提供する。
【発明の効果】
【００１１】
本発明によれば、ベルトの両端部をバックルにより連結した状態で、腰当て部材がベルトの両端部を跨ぐように配される。このため、ベルトを楽器用キャリアの腹当て部材に取り付けた状態では、腹当て部材の両側から延びるベルトの二つの延長部位の長さを等しく設定できる。したがって、楽器用キャリアを短時間で装着できる。また、ベルトの両端部の連結を解除した状態でも、楽器用キャリアを容易に取り扱うことができる。
【図面の簡単な説明】
【００１２】
【図１】本発明の一実施形態に係る楽器用キャリアを正面側から見た斜視図である。
【図２】図１の楽器用キャリアの背面図である。
【図３】図１，２の腰ベルトにおいて、ベルトの両端部を連結した状態を示す模式図である。
【図４】図１−３の調整手段の構造例を示す平面図及び断面図である。
【図５】図１−３の腰ベルトにおいて、腰当て部材の取付構造の変形例を示す斜視図である。
【発明を実施するための形態】
【００１３】
以下、図１−４を参照して本発明の一実施形態について説明する。
図１，２に示すように、本実施形態の楽器用キャリア１は、演奏者の腰に巻くための腰ベルト２を備える。また、本実施形態の楽器用キャリア１は、腰ベルト２が取り付けられるキャリア本体部３を備える。
キャリア本体部３は、腹当て部材１１と、一対のロッド１２，１２と、肩当て部材１３と、連結部材１４と、背当て部材１５と、を備える。
【００１４】
腹当て部材１１は、演奏者の腹部に当てる部材である。腹当て部材１１は、腹当て部材本体１６と、一対のロッドクランプ１７，１７と、を備える。
腹当て部材本体１６は、演奏者の腹部の形状にあわせるようにその側部が湾曲して形成された板状の部材である。腹当て部材本体１６は、例えば、演奏者の負担を軽減する観点から、軽量の材料（例えばアルミニウム）によって構成されてよい。以下の説明では、腹当て部材本体１６のうち、演奏者の腹部側に向く面を背面１６ｂと呼び、背面１６ｂと反対側に向く面を正面１６ａと呼ぶ。
腹当て部材１１は、クッション材からなり演奏者の腹部を保護する腹用パッド１８を備えてもよい。腹用パッド１８は、腹当て部材１１の背面１６ｂに対して着脱可能または着脱不能に取り付けられる。
【００１５】
一対のロッドクランプ１７，１７は、一対のロッド１２，１２を腹当て部材１１に組みつけるものである。一対のロッドクランプ１７，１７は、腹当て部材本体１６の両側部の正面１６ａに固定されている。各ロッドクランプ１７は、腹当て部材本体１６に対して着脱可能に取り付けられてもよいが、着脱不能であってもよい。
各ロッドクランプ１７は、ボルト１９を操作することで、ロッド１２を挟み込んで固定したり、ロッド１２の挟み込みを解除したりすることができる。
【００１６】
ロッド１２は、一本の棒状の部材の第一端部を折り曲げることでＪ字状に形成されている。ロッド１２の第一端部は、楽器を支持する部位である。ロッド１２の第二端部は、腹当て部材１１に取り付けられる部位である。より具体的に、ロッド１２の第二端部は、直線状に延び、ロッドクランプ１７によって挟み込まれる部位である。
ロッド１２は、その第二端部の軸線が腹当て部材１１の上下方向に向くように、腹当て部材１１に取り付けられる。この状態において、ロッド１２の第一端部は腹当て部材１１よりも下方に位置する。
【００１７】
ロッドクランプ１７によりロッド１２の第二端部を挟み込んだ状態では、腹当て部材１１に対するロッド１２の第一端部の位置（高さ位置や向き）を保持できる。一方、ロッドクランプ１７によるロッド１２の第二端部の挟み込みを解除した状態では、腹当て部材１１に対するロッド１２の第一端部の位置（高さ位置や向き）を調整することができる。すなわち、ロッドクランプ１７は、ロッド１２の第一端部の位置を調整する機能を有する。
前述したロッド１２の第一端部の「高さ位置」は、上下方向において腹当て部材１１に対するロッド１２の第一端部の位置である。また、ロッド１２の第一端部の「向き」は、ロッド１２の第二端部の軸線を中心とした第一端部の周方向の位置である。
【００１８】
肩当て部材１３は、演奏者の肩に引っ掛ける部材である。肩当て部材１３は、一対の肩当て部材本体２１，２１と、接続部材２２と、を備える。
肩当て部材本体２１は、演奏者の肩の形状にあわせるように帯状の板材を湾曲した形状の部材である。肩当て部材本体２１は、例えば、楽器用キャリア１の軽量化の観点から、アルミニウム等の軽量な材料によって構成されてよい。
【００１９】
接続部材２２は、一対の肩当て部材本体２１，２１が演奏者の左右の肩にそれぞれ配されるように、一対の肩当て部材本体２１，２１同士を接続する板材である。より具体的に、接続部材２２は、一対の肩当て部材本体２１，２１の第一端部同士を接続する。接続部材２２（及び肩当て部材本体２１の第一端部）は、演奏者が楽器用キャリア１を装着した状態で、演奏者の胸部に位置する。接続部材２２は、例えば肩当て部材本体２１と同様に、アルミニウム等の軽量な材料によって構成されてよい。
【００２０】
一対の肩当て部材本体２１，２１及び接続部材２２は、例えば、一つの板材によって形成されてもよい。本実施形態では、一対の肩当て部材本体２１，２１と接続部材２２とが、別個に形成され、ボルト２３によって接続されている。
【００２１】
連結部材１４は、腹当て部材１１と肩当て部材１３とを連結する部材である。連結部材１４は、腹当て部材１１から肩当て部材１３まで延びている。連結部材１４の第一端部は、ボルト２４によって腹当て部材本体１６に接続されている。連結部材１４の第二端部は、ボルト２５によって肩当て部材１３の接続部材２２に接続されている。
【００２２】
連結部材１４は、例えば、腹当て部材１１と肩当て部材１３との間隔が変化するように、腹当て部材１１や肩当て部材１３と接続されてもよい。例えば、連結部材１４と腹当て部材１１とが、連結部材１４の延長方向に相対的に移動可能に接続されてもよい。同様にして、連結部材１４と肩当て部材１３とが、連結部材１４の延長方向に相対的に移動可能に接続されてもよい。
【００２３】
背当て部材１５は、肩当て部材１３を演奏者の肩に引っ掛けた状態で、演奏者の背中の上側部分（背中上部）に当たる部材である。背当て部材１５は、一対の肩当て部材本体２１，２１の第二端部同士を接続する帯状の板材からなる。
一対の肩当て部材本体２１，２１及び背当て部材１５は、例えば、一つの板材によって形成されてもよい。本実施形態では、一対の肩当て部材本体２１，２１と背当て部材１５とが、別個に形成され、ボルト２６によって接続されている。
【００２４】
本実施形態のキャリア本体部３においては、例えば、各肩当て部材本体２１、連結部材１４、背当て部材１５のうち演奏者の身体に接触しうる面に、演奏者の身体を保護するクッション材が設けられてもよい。
【００２５】
図１−３に示すように、腰ベルト２は、ベルト３１と、バックル３２と、腰当て部材３３と、を備える。
ベルト３１は、演奏者の腰に巻き付ける部材であり、可撓性を有する。ベルト３１は、腹当て部材１１の両側部から延びるように、キャリア本体部３の腹当て部材１１に取り付けられる。ベルト３１は例えば紐状に形成されてもよい。本実施形態において、ベルト３１は帯状に形成されている。
【００２６】
ベルト３１は、例えば二つのベルト分割体に分割して構成され、二つのベルト分割体が腹当て部材１１の両側部に配されてもよい。本実施形態のベルト３１は、分割されず、腹当て部材１１を通り抜けるように構成されている。
ベルト３１を腹当て部材１１に取り付ける方法は任意であってよい。本実施形態では、ベルト３１を腹当て部材本体１６に形成された複数（図示例では二つ）の挿通孔２０に通すことで、ベルト３１が腹当て部材１１に取り付けられる。
【００２７】
バックル３２は、ベルト３１の両端部３１Ａ，３１Ｂに設けられ、ベルト３１の両端部３１Ａ，３１Ｂを脱着可能に連結する。バックル３２は、例えば一工程（ワンタッチ）でベルト３１の両端部３１Ａ，３１Ｂを脱着できるように構成されているとよい。このようなバックル３２の構造は、従来周知のものを利用可能である。
【００２８】
図示例のバックル３２は、ベルト３１の第一端部３１Ａに設けられた雄型バックル部３４と、ベルト３１の第二端部３１Ｂに設けられて雄型バックル部３４を挿入可能な雌型バックル部３５と、を備える。雄型バックル部３４は、ベース部３６と、ベース部３６から延びる爪部３７と、を備える。爪部３７は、弾性的に撓み変形可能である。雌型バックル部３５は、雄型バックル部３４の爪部３７が雌型バックル部３５に挿入されることで、爪部３７が引っ掛かる係止部（不図示）を備える。
【００２９】
図示例のバックル３２では、雄型バックル部３４を雌型バックル部３５に挿入するだけで、雄型バックル部３４の爪部３７が雌型バックル部３５の係止部に引っ掛かる。これにより、ベルト３１の両端部３１Ａ，３１Ｂが連結される。また、係止部に引っ掛っている爪部３７を演奏者などの手指で撓み変形させるだけで、係止部に対する爪部３７の引っ掛かりが解除される。これにより、ベルト３１の両端部３１Ａ，３１Ｂの連結が解除される。
【００３０】
腰当て部材３３は、演奏者の背中の下側部分（背中下部）に当てる部材である。腰当て部材３３は、クッション材からなり、演奏者の背中下部を保護する。腰当て部材３３は、ベルト３１の端部３１Ａ，３１Ｂにおいてベルト３１に対して移動不能に設けられている。腰当て部材３３は、ベルト３１の両端部３１Ａ，３１Ｂをバックル３２により連結した状態で、腰当て部材３３がベルト３１の両端部３１Ａ，３１Ｂを跨ぐように配される。すなわち、ベルト３１の両端部３１Ａ，３１Ｂをバックル３２により連結した状態においては、ベルト３１の長手方向における腰当て部材３３の両端の間に、ベルト３１の両端部３１Ａ，３１Ｂ及びバックル３２が位置する。また、ベルト３１の両端部３１Ａ，３１Ｂをバックル３２により連結した状態では、ベルト３１の長手方向において、腰当て部材３３の中途部がベルト３１の両端部３１Ａ，３１Ｂを連結した位置に配される。また、腰当て部材３３は、腰ベルト２を演奏者の腰に巻いた状態において、演奏者の背中下部とベルト３１の両端部３１Ａ，３１Ｂ及びバックル３２との間に位置するように配される。
【００３１】
本実施形態の腰当て部材３３は、ベルト３１の長手方向に配列された複数の分割部材３８を備える。各分割部材３８は、クッション材からなる。ベルト３１の各端部３１Ａ，３１Ｂには、少なくとも一つの分割部材３８がベルト３１に対して移動不能に設けられていればよい。ベルト３１の両端部３１Ａ，３１Ｂに設けられる分割部材３８の数は、互いに等しくてもよいし、互いに異なってもよい。本実施形態では、分割部材３８がベルト３１の両端部３１Ａ，３１Ｂに一つずつ設けられている。
本実施形態の各分割部材３８は、ベルト３１に対して着脱不能に固定されている。具体的に、各分割部材３８は、例えば、ベルト３１に縫い付けられたり、リベット等でベルト３１に固定されたりする等して、簡単にベルト３１から取り外せないようにベルト３１に固定されている。
分割部材３８は、ベルト３１を演奏者の腰に巻いた状態で演奏者の背中下部に対向するベルト３１の面に配されている。また、分割部材３８は、ベルト３１の端部３１Ａ，３１Ｂだけでなく、バックル３２にも重なるように配されている。
【００３２】
図３に示すように、ベルト３１の両端部３１Ａ，３１Ｂをバックル３２により連結した状態では、複数の分割部材３８がベルト３１の長手方向に配列される。図示例では、二つの分割部材３８，３８が隙間なく隣り合っているが、例えば二つの分割部材３８，３８の間には隙間があってもよい。この場合、二つの分割部材３８，３８の間の隙間は、例えば、腰ベルト２を演奏者の腰に巻いた状態でベルト３１の両端部３１Ａ，３１Ｂやバックル３２が演奏者の背中下部に触れない程度に設定されるとよい。
上記のように二つの分割部材３８，３８がベルト３１の長手方向に配列されることで、腰当て部材３３がベルト３１の両端部３１Ａ，３１Ｂ及びバックル３２を跨ぐように配される。これにより、腰ベルト２を演奏者の腰に巻いた状態では、ベルト３１の両端部３１Ａ，３１Ｂ及びバックル３２が演奏者の背中下部に直接触れることを防止できる。
【００３３】
本実施形態の腰ベルト２は、ベルト３１の長さを調整する調整手段４０をさらに備える。調整手段４０は、一工程（ワンタッチ）でベルト３１の長さを調整可能である。調整手段４０は、ベルト３１の長手方向の中途部に少なくとも一つ設けられていればよい。本実施形態の調整手段４０は、ベルト３１の長手方向の中間部と各端部３１Ａ，３１Ｂとの間に一つずつ設けられている。
【００３４】
調整手段４０は、ベルト３１のうち、腹当て部材１１から延びて各調整手段４０に至る部位（中間ベルト部４１）の長さを調整し、ベルト３１のうち調整手段４０から各端部３１Ａ，３１Ｂに至る部位（端ベルト部４２）の長さは変化させない。すなわち、本実施形態のベルト３１は、中間ベルト部４１と、調整手段４０によって中間ベルト部４１の両端に連結された一対の端ベルト部４２と、を備える。端ベルト部４２には、前述した腰当て部材３３が設けられる。
中間ベルト部４１は、前述したように、例えば二つのベルト分割体に分割して構成されてもよい。本実施形態の中間ベルト部４１は、分割されず、腹当て部材１１を通り抜けるように構成されている。
以下、本実施形態の調整手段４０について、より具体的に説明する。
【００３５】
本実施形態の調整手段４０は、コキと呼ばれる引き出し環４５である。図４に例示する引き出し環４５は、環状に形成された枠体４６と、枠体４６の内側に固定された二本の中軸４７，４８と、を備える。
枠体４６は、平面視で矩形の環状に形成されている。二本の中軸４７，４８は、互いに平行し、かつ、枠体４６の辺に平行している。二本の中軸４７，４８は、枠体４６の内側空間を二本の中軸４７，４８の配列方向に並ぶ三つの窓部４９Ａ，４９Ｂ，４９Ｃに区画している。
【００３６】
引き出し環４５の第一中軸４７には、中間ベルト部４１側に位置する端ベルト部４２の端部が接続されている。
引き出し環４５の第二中軸４８には、中間ベルト部４１が引っ掛けられている。具体的には、二本の中軸４７，４８の間の第一窓部４９Ａを挿通した中間ベルト部４１を折り返し、枠体４６と第二中軸４８との間第二窓部４９Ｂを通して引き出すことで、中間ベルト部４１が第二中軸４８に引っ掛けられている。
【００３７】
中間ベルト部４１のうち腹当て部材１１から第二中軸４８に至る部位は、調整手段４０によって調整されたベルト３１の長さに寄与する寄与部分４１Ａである。一方、中間ベルト部４１のうち第二中軸４８から中間ベルト部４１の端に至る部位は、調整手段４０によって調整されたベルト３１の長さに寄与しない余剰部分４１Ｂである。
本実施形態において、中間ベルト部４１の余剰部分４１Ｂは、図３に示すようにベルト３１を演奏者の腰に巻き付けた状態で、演奏者の背中側（後側）から腹部側（前側）に延びる。
端ベルト部４２は、中間ベルト部４１の寄与部分４１Ａと同様に、ベルト３１のうち調整手段４０によって調整されたベルト３１の長さに寄与する寄与部分である。
【００３８】
図３，４に示すように中間ベルト部４１が引き出し環４５に取り付けられていることで、中間ベルト部４１の寄与部分４１Ａと端ベルト部４２とを互いに逆向きに引っ張る力が作用した状態では、中間ベルト部４１の余剰部分４１Ｂが寄与部分４１Ａと引き出し環４５の枠体４６の間に挟み込まれる。すなわち、中間ベルト部４１の寄与部分４１Ａが不意に長くなる（ベルト３１が緩む）ことを防止できる。
【００３９】
また、引き出し環４５から引き出された中間ベルト部４１の余剰部分４１Ｂを、演奏者等の手指で引っ張るだけで、ベルト３１の長さを簡単に短くする（ベルト３１を締める）ことができる。特に、中間ベルト部４１の余剰部分４１Ｂは、ベルト３１を演奏者の腰に巻き付けた状態で、演奏者の背中側（後側）から腹部側（前側）に延びるため、中間ベルト部４１の余剰部分４１Ｂを簡単に引っ張ることができる。
【００４０】
また、中間ベルト部４１の寄与部分４１Ａと端ベルト部４２とを、互いに逆向きに引っ張る力が作用した状態であっても、演奏者等の手指で引き出し環４５を操作することで、ベルト３１の長さを簡単に長くする（ベルト３１を緩める）ことができる。具体的には、中間ベルト部４１の寄与部分４１Ａと枠体４６との間を開き、寄与部分４１Ａ及び枠体４６による余剰部分４１Ｂの挟み込みを解除するだけで、ベルト３１の長さを簡単に長くすることができる。
【００４１】
図１に示すように、本実施形態の腰ベルト２は、ベルト３１の余剰部分４１Ｂをベルト３１の寄与部分４１Ａに対して着脱可能に係止する係止部材５０をさらに備える。係止部材５０の具体例としては、図１に例示する面ファスナーの他、スナップボタン等が挙げられる。係止部材５０は、例えば図１において実線で示すように、中間ベルト部４１の余剰部分４１Ｂと、端ベルト部４２（寄与部分）とに設けられてもよい。係止部材５０は、例えば図１において二点鎖線で示すように、中間ベルト部４１の余剰部分４１Ｂと寄与部分４１Ａとに設けられてもよい。
腰ベルト２が係止部材５０を備えることで、演奏者が楽器用キャリア１を装着した状態で、中間ベルト部４１の余剰部分４１Ｂが演奏者による楽器演奏を阻害することを防止できる。また、余剰部分４１Ｂの垂れ下がりによって、楽器用キャリア１を装着した演奏者の見た目が悪くなることも防止できる。
【００４２】
以上説明したように、本実施形態の楽器用キャリア１によれば、ベルト３１の両端部３１Ａ，３１Ｂをバックル３２により連結した状態で、腰当て部材３３がベルト３１の両端部３１Ａ，３１Ｂを跨ぐように配される。このため、ベルト３１を楽器用キャリア１の腹当て部材１１に取り付けた状態では、腹当て部材１１の両側から延びるベルト３１の二つの延長部位の長さを等しく設定できる。
したがって、楽器用キャリア１を短時間で装着できる。具体的には、演奏者は、長さが等しいベルト３１の二つの延長部位の先端部（バックル３２）を両手で把持して、背中下部に回すだけで、バックル３２によりベルト３１の両端部３１Ａ，３１Ｂを連結できる。
また、ベルト３１の二つの延長部位の長さが等しいことで、ベルト３１の両端部３１Ａ，３１Ｂの連結を解除した状態でも、楽器用キャリア１を容易に取り扱うことができる。
【００４３】
また、本実施形態の楽器用キャリア１によれば、腰当て部材３３がベルト３１に対して移動不能に設けられている。このため、楽器用キャリア１を装着した状態において腰当て部材３３の位置ずれ（特にベルト３１長手方向への位置ずれ）が生じることを防止できる。したがって、演奏者は楽器用キャリア１を快適に装着できる。
【００４４】
また、本実施形態の楽器用キャリア１によれば、腰当て部材３３が複数の分割部材３８を備え、ベルト３１の各端部３１Ａ，３１Ｂには、少なくとも一つの分割部材３８がベルト３１に対して移動不能に設けられている。このため、分割部材３８を含むベルト３１の二つの延長部位の重さの差を小さくできる。これにより、バックル３２によるベルト３１の両端部３１Ａ，３１Ｂの連結を解除した状態において、楽器用キャリア１をさらに容易に取り扱うことができる。
また、本実施形態では、ベルト３１の両端部３１Ａ，３１Ｂに設けられる分割部材３８の数が互いに等しい。このため、分割部材３８を含むベルト３１の二つの延長部位の重さを等しくすることが可能となる。
【００４５】
また、本実施形態の楽器用キャリア１は、ベルト３１の長さを調整する調整手段４０を備える。これにより、ベルト３１を演奏者の体型に応じて適切な長さに調整できる。
また、本実施形態の楽器用キャリア１では、調整手段４０がベルト３１の長手方向の中間部と各端部３１Ａ，３１Ｂとの間に設けられている。これにより、腹当て部材１１の両側から延びるベルト３１の二つの延長部位の長さをそれぞれ調整することができる。したがって、ベルト３１の長さを調整しても、腰当て部材３３が演奏者の背中下部からベルト３１の長手方向にずれることを好適に抑制できる。
【００４６】
また、本実施形態の楽器用キャリア１では、調整手段４０がベルト３１のうち中間ベルト部４１の長さを調整し、ベルト３１のうち腰当て部材３３が設けられる端ベルト部４２の長さを調整しない。このため、ベルト３１の長さを調整しても、腰当て部材３３とベルト３１の各端部３１Ａ，３１Ｂやバックル３２との相対的な位置が変化することを防止できる。
【００４７】
また、本実施形態の楽器用キャリア１では、調整手段４０が一工程でベルト３１の長さを調整可能に構成されている。特に、調整手段４０が引き出し環４５であり、引き出し環４５から引き出されるベルト３１の余剰部分４１Ｂが演奏者の背中側（後側）から腹部側（前側）に延びている。このため、演奏者は、容易かつ短時間でベルト３１の長さを調整することができる。
【００４８】
以上、本発明について詳細に説明したが、本発明は上記実施形態に限定されるものではなく、本発明の趣旨を逸脱しない範囲において種々の変更を加えることが可能である。
【００４９】
本発明の楽器用キャリアでは、例えば図５に示すように、腰当て部材３３（分割部材３８）がベルト３１に対して着脱可能であってもよい。この場合、楽器用キャリアは、腰当て部材３３をベルト３１に対して着脱可能に固定する固定部材５５を備えるとよい。固定部材５５の具体例としては、図５に例示する面ファスナーの他、スナップボタン等が挙げられる。腰当て部材３３を固定部材５５によってベルト３１に固定することで、腰当て部材３３をベルト３１に対して移動不能にとなるように設けることができる。
腰当て部材３３がベルト３１に対して着脱可能であることで、腰当て部材３３のみを容易に交換できる。また、演奏者の体型や意図に応じて適切な大きさの腰当て部材３３を適切な位置に設けることができる。
【００５０】
本発明の楽器用キャリアにおいて、腰当て部材は、例えば、ベルトの一方の端部（第一端部または第二端部）のみにベルトに対して移動不能に設けられてもよい。この場合、ベルトの一方の端部に設けられた腰当て部材は、ベルトの一方の端部からベルトの長手方向にさらに延びていればよい。このような構成であっても、ベルトの両端部を連結した状態では、腰当て部材がベルトの両端部を跨ぐように、腰当て部材を配することができる。
【００５１】
本発明の楽器用キャリアにおいて、調整手段（例えば引き出し環４５）は、バックル（例えば雄型バックル部３４、雌型バックル部３５）と一体に設けられ、ベルトのうち腹当て部材から延びて調整手段に至る部位の長さを調整してもよい。この場合、ベルトのうち腹当て部材から調整手段に至る部位が、調整手段によって調整されたベルトの長さに寄与する寄与部分となる。また、ベルトのうち調整手段から寄与部分とは別に延びる部位が、調整手段によって調整されたベルトの長さに寄与しない余剰部分となる。このような構成においても、本発明の楽器用キャリアは、ベルトの余剰部分をベルトの寄与部分に対して着脱可能に係止する係止部材を備えてもよい。
【符号の説明】
【００５２】
１…楽器用キャリア、２…腰ベルト、３…キャリア本体部、１１…腹当て部材、３１…ベルト、３１Ａ…第一端部、３１Ｂ…第二端部、３２…バックル、３３…腰当て部材、３８…分割部材、４０…調整手段、４１…中間ベルト部、４１Ａ…寄与部分、４１Ｂ…余剰部分、４２…端ベルト部（寄与部分）、４５…引き出し環、５０…係止部材
【図１】
2018031883.tif 000003
【図２】
2018031883.tif 000004
【図３】
2018031883.tif 000005
【図４】
2018031883.tif 000006
【図５】
2018031883.tif 000007